【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
撮像範囲内の焦点検出領域をユーザが任意に設定できる撮像装置であって、
被写体を測光する測光手段と、
撮像範囲に含まれる顔領域を検出する顔検出手段と、撮像範囲における、主要な測光領域の位置を設定する測光領域選択手段と、
ユーザによって設定された前記焦点検出領域に基づいて、焦点検出を実行する焦点検出手段と、
を有し、
前記測光領域選択手段は、ユーザによって、撮像範囲内の位置に前記焦点検出領域が設定されている場合であって、前記顔検出手段によって顔領域が検出されているときに、当該検出された顔領域に関する情報と、ユーザによって設定された前記焦点検出領域に関する情報に基づいて、当該検出された顔領域に対応する位置に前記主要な測光領域の位置を設定するか、前記焦点検出領域に対応する位置に前記主要な測光領域を設定するかを選択し、
前記測光手段は、前記測光領域選択手段が選択した前記主要な測光領域の位置に基づいて被写体を測光することを特徴とする撮像装置。
【請求項２】
前記焦点検出手段は、ユーザによって、撮像範囲内において検出された顔領域以外の位置に前記焦点検出領域が設定されている場合、前記主要な測光領域が前記顔領域に対応する位置に設定された場合であっても、ユーザにより設定された前記焦点検出領域を変更せずに焦点検出を実行することを特徴とする請求項１に記載の撮像装置。
【請求項３】
前記測光領域選択手段は、ユーザによって、撮像範囲内の検出された顔領域以外の位置に前記焦点検出領域が設定されている場合であって、前記顔検出手段によって顔領域が検出されているときに、当該顔領域の大きさが第１の閾値以上であれば、当該検出された顔領域の位置に基づいて前記主要な測光領域を設定し、当該顔領域の大きさが前記第１の閾値よりも小さければ、ユーザによって設定された前記焦点検出領域に対応する位置に前記主要な測光領域を設定することを特徴とする請求項１又は２に記載の撮像装置。
【請求項４】
前記測光領域選択手段は、ユーザによって、撮像範囲内の検出された顔領域以外の位置に前記焦点検出領域が設定されている場合であって、前記顔検出手段によって複数の顔領域が検出されているときに、当該複数の顔領域のうち、撮像範囲に占める面積が最も大きい顔領域の位置に前記主要な測光領域を設定することを特徴とする請求項３に記載の撮像装置。
【請求項５】
前記測光領域選択手段は、ユーザによって、撮像範囲内の検出された顔領域以外の位置に前記焦点検出領域が設定されている場合であって、前記顔検出手段によって顔領域が検出されているときに、検出された顔領域とユーザによって設定された前記焦点検出領域との間の距離が、第２の閾値よりも小さければ、検出された顔領域の位置に前記主要な測光領域を設定し、検出された顔領域とユーザによって設定された前記焦点検出領域との間の距離が前記第２の閾値以上であれば、前記焦点検出領域に対応する位置に前記主要な測光領域を設定することを特徴とする請求項１又は２に記載の撮像装置。
【請求項６】
前記測光領域選択手段は、ユーザによって、撮像範囲内の検出された顔領域以外の位置に前記焦点検出領域が設定されている場合であって、前記顔検出手段によって複数の顔領域が検出されているときに、当該複数の顔領域のうち、検出された顔領域の位置とユーザによって設定された前記焦点検出領域の位置との間の距離が最も小さい顔領域に前記主要な測光領域を設定することを特徴とする請求項５に記載の撮像装置。
【請求項７】
前記顔検出によって顔領域が検出されているときに、検出された顔領域に対応する人体領域を検出する人体検出手段を有し、
前記測光領域選択手段は、ユーザによって、撮像範囲内の検出された顔領域以外の位置に前記焦点検出領域が設定されている場合であって、前記顔検出手段が顔領域を検出し前記人体検出手段が当該顔領域に対応する人体領域を検出したときに、ユーザによって設定された前記焦点検出領域が前記人体検出手段によって検出された前記人体領域と重畳していれば、当該検出された人体領域に対応する顔領域の位置に前記主要な測光領域を設定し、ユーザによって設定された前記焦点検出領域が前記人体検出手段によって検出された人体領域と重畳していなければ、ユーザによって設定された前記焦点検出領域に対応する位置に前記主要な測光領域を設定することを特徴とする請求項１又は２に記載の撮像装置。
【請求項８】
前記測光領域選択手段は、ユーザによって、撮像範囲内の検出された顔領域以外の位置に前記焦点検出領域が設定されている場合であって、前記顔検出手段によって顔領域が検出されていないときは、ユーザによって設定された前記焦点検出領域に対応する位置に前記主要な測光領域を設定することを特徴とする請求項１乃至７の何れか一項に記載の撮像装置。
【請求項９】
ユーザによって、前記焦点検出領域が検出された顔領域以外の位置に設定される前の撮像範囲と、前記焦点検出領域が当該顔領域以外の位置に設定された後の前記撮像範囲との、画角のずれを検出する画角ずれ検出手段を有し、
前記測光領域選択手段は、前記画角ずれ検出手段によって検出される前記撮像範囲の画角のずれ量が第３の閾値よりも小さい場合は、ユーザによって設定された前記焦点検出領域に対応する位置に前記主要な測光領域を設定することを特徴とする請求項３乃至８の何れか一項に記載の撮像装置。
【請求項１０】
前記測光手段による、前記主要な測光領域に含まれる被写体の測光結果のみに基づいて露出制御をおこなうことを特徴とする請求項１乃至９の何れか一項に記載の撮像装置。
【請求項１１】
前記主要な測光領域は、前記撮像範囲内において、前記測光手段による測光に関する重み付けの度合いが他の領域よりも大きい領域であることを特徴とする請求項１乃至９の何れか一項に記載の撮像装置。
【請求項１２】
撮像範囲内の焦点検出領域をユーザが任意に設定できる撮像装置の制御方法であって、
被写体を測光する測光工程と、撮像範囲に含まれる顔領域を検出する顔検出工程と、撮像範囲における、主要な測光領域を設定する測光領域選択工程と、
ユーザによって設定された前記焦点検出領域に基づいて、焦点検出を実行する焦点検出工程と、
を有し、
前記測光領域選択工程では、ユーザによって、撮像範囲内の位置に前記焦点検出領域が設定されている場合であって、前記顔検出工程で顔領域が検出されているときに、当該検出された顔領域に関する情報と、ユーザによって設定された前記焦点検出領域に関する情報に基づいて、当該検出された顔領域に対応する位置に前記主要な測光領域の位置を設定するか、前記焦点検出領域に対応する位置に前記主要な測光領域を設定するかを選択し、
前記測光工程では、前記測光領域選択工程で選択された前記主要な測光領域の位置に基づいて被写体を測光することを特徴とする撮像装置の制御方法。
【請求項１３】
請求項１２に記載の撮像装置の制御方法をコンピュータで実行させるためのコンピュータで読み取り可能なプログラム。
【手続補正２】
【補正対象書類名】明細書
【補正対象項目名】０００８
【補正方法】変更
【補正の内容】
【０００８】
上記目的を達成するための本発明の撮像装置は、撮像範囲内の焦点検出領域をユーザが任意に設定できる撮像装置であって、被写体を測光する測光手段と、撮像範囲に含まれる顔領域を検出する顔検出手段と、撮像範囲における、主要な測光領域の位置を設定する測光領域選択手段と、ユーザによって設定された前記焦点検出領域に基づいて、焦点検出を実行する焦点検出手段と、を有し、前記測光領域選択手段は、ユーザによって、撮像範囲内の位置に前記焦点検出領域が設定されている場合であって、前記顔検出手段によって顔領域が検出されているときに、当該検出された顔領域に関する情報と、ユーザによって設定された前記焦点検出領域に関する情報に基づいて、当該検出された顔領域に対応する位置に前記主要な測光領域の位置を設定するか、前記焦点検出領域に対応する位置に前記主要な測光領域を設定するかを選択し、前記測光手段は、前記測光領域選択手段が選択した前記主要な測光領域の位置に基づいて被写体を測光することを特徴とする。